(57)【特許請求の範囲】
【請求項１】
方形状で、被測定部である中心部と、両面または片面が凸状である端部からなるフィルム用二軸引張試験片を用いるフィルム用二軸引張試験機であり、前記試験片の端部の各辺及び各角の各々をつかむ溝部を持つ分割つかみ治具を有し、対向位置にある相互のつかみ治具が反対方向に移動可能であり、前記試験片の被測定部である中心部が静止状態に保たれることを特徴とするフィルム用二軸引張試験機。
【請求項２】
請求項１記載のフィルム用二軸引張試験機は、前記試験片の被測定部である中心に相当する領域に窓を有し、該フィルム用二軸引張試験機を、分析装置の電磁波発生源と検出器の間に、前記試験片の被測定部である中心部に電磁波が通過するように設置し、恒温度制御下で、フィルムを延伸しながらフィルムの構造変化を観察することを特徴とするフィルムの二軸引張試験方法。
【発明の詳細な説明】
【０００１】
【発明の属する技術分野】
本発明は、フィルム用二軸引張試験機およびフィルムの二軸引張試験方法に関するものである。さらに詳しくは、つかみ治具とフィルム用二軸引張試験片がお互いにすべることなく、前記試験片の被測定部である中心部が静止状態に保たれ、その被測定部である中心部に大きな歪を与えることができるフィルム用二軸引張試験機およびフィルムの二軸引張試験方法に関するものである。
【０００２】
【従来の技術】
従来から、フィルムの二軸引張試験として、二軸延伸装置が知られている。例えば、特開平６−１０９６０９号公報には、二軸引張試験片の四辺を保持するつかみ治具をさらに複数のつかみ治具に分割してなる薄板材料の二軸引張試験機で使用するつかみ治具、さらに詳しくは引張試験片の中央の被測定部における応力および歪が均一化されるように、つかみ治具が相互に反対方向に移動可能であり、かつ複数の分割つかみ治具を引張方向と直交する方向に移動可能であるつかみ治具、および、そのつかみ治具を用いて行う薄板材料の二軸引張試験方法が記載されている。
【０００３】
しかし、上記特開平６−１０９６０９号公報に記載のつかみ治具を用いた場合、つかみ治具と二軸引張試験片が互いにすべり、中央の被測定部を静止状態に保ちつつ、かつ、例えば２００％を超えるような大きな歪を与えるような二軸引張試験を実施することは、難しく、その改良が求められていた。
【０００４】
【発明が解決しようとする課題】
本発明の目的は、つかみ治具とフィルム用二軸引張試験片がお互いにすべることなく、前記試験片の被測定部である中心部が静止状態に保たれ、その被測定部である中心部に大きな歪を与えることができるフィルム用二軸引張試験機およびフィルムの二軸引張試験方法を提供することにある。
【０００５】
【課題を解決するための手段】
本発明者らは、このような実情に鑑み、鋭意検討の結果、本発明が、上記課題を解決できることを見出し、本発明の完成に至った。
【０００６】
すなわち、本発明のフィルム用二軸引張試験機は、方形状で、被測定部である中心部と、両面または片面が凸状である端部からなるフィルム用二軸引張試験片を用いるフィルム用二軸引張試験機であり、前記試験片の端部の各辺及び各角の各々をつかむ溝部を持つ分割つかみ治具を有し、対向位置にある相互のつかみ治具が反対方向に移動可能であり、前記試験片の被測定部である中心部が静止状態に保たれることを特徴とするものである。
【０００７】
そして、本発明のフィルムの二軸引張試験方法は、上記フィルム用二軸引張試験機は、前記試験片の被測定部である中心に相当する領域に窓を有し、該フィルム用二軸引張試験機を、分析装置の電磁波発生源と検出器の間に、前記試験片の被測定部である中心部に電磁波が通過するように設置し、恒温度制御下で、フィルムを延伸しながらフィルムの構造変化を観察することを特徴とするものである。
【０００８】
【発明の実施の形態】
本発明のフィルム用二軸引張試験片は、方形状をなし、被測定部である中心部と両面または片面が凸状である端部からなる構成をとる。二軸引張試験片の寸法は特に限定されるものではなく、好ましくは方形の一辺は１５ｍｍ〜３０ｍｍである。寸法があまり小さいとフィルムの二軸引張試験片の作成およびフィルムの二軸引張試験片の各辺及び各角に使用するつかみ治具の設計が困難な場合があり、また寸法があまり大きくなると最大延伸倍率時の延伸量が大きくなるため二軸引張試験機が大型化するという問題が起こる場合がある。
また、本発明のフィルム用二軸引張試験片の被測定部である中心部と両面または片面が凸状である端部との境界は緩やかな曲面とすることが望ましい。
【０００９】
フィルム用二軸引張試験片の被測定部である中心部の厚みは、特に制限されるものではなく、通常は０．１ｍｍ〜１ｍｍであり、分析装置に応じて決めればよい。
また、端部両面または片面の凸部の厚みは、特に制限されるものではなく、通常、１〜３ｍｍであり、端部両面または片面の凸部の幅も、特に限定されるものではなく、通常、３〜５ｍｍである。
【００１０】
本発明のフィルム用二軸引張試験片の材質は、ポリエチレンやポリプロピレンをはじめとするポリオレフィンやポリエチレンテレフタレートなど、特に限定されるものではない。
【００１１】
本発明で用いられるフィルムの二軸引張試験用つかみ治具は、各辺を保持する分割つかみ治具及び各角を保持する分割つかみ治具より構成され、各々の分割つかみ治具には二軸引張試験片の端部両面または片面の凸部を差し込むための凹状の溝部が形成されている。
【００１２】
本発明で用いられるフィルムの二軸引張試験用つかみ治具の材質には、強度の観点から金属材料が好ましく、１００℃以上の恒温度における二軸引張試験の場合は試験片への熱伝導抑制の観点から樹脂材料が好ましく、特に耐熱性や強度の観点からエンジニアリングプラスチックが好ましく、さらにはポリエーテルエーテルケトンが好ましい。
【００１３】
各辺を保持する分割つかみ治具の移動方法は、スライダーなどを用いて、分割つかみ治具を引張方向に円滑に移動することができるような構造とすることが望ましい。
各角を保持する分割つかみ治具は、スライダーの直交する延伸板の重なり部分にピンまたはローラを用いて保持する構成とすることが望ましい。
【００１４】
引張駆動方式に際しては、ステッピングモータなどを使用してＸ軸及び／またはＹ軸駆動する方式とすることが望ましい。
Ｘ軸およびＹ軸同時に駆動すれば同時二軸引張試験となり、Ｘ軸またはＹ軸のみを駆動すれば一軸引張試験となり、また、Ｘ軸またはＹ軸駆動後にＹ軸またはＸ軸を駆動すれば逐次二軸引張試験となる。
【００１５】
本発明のフィルム用二軸引張試験機は、フィルム用二軸引張試験片の被測定部である中心部に相当する部分に孔を有し、その孔に窓材が設置されているものである。孔の形状は、例えば、円形状であり、電磁波が遮断されなければよく、特に限定されるものではない。また、分析装置への設置において、本発明のフィルム用二軸引張試験機は、水平方向、垂直方向のいずれの方向にも設置することができる。
【００１６】
フィルムの二軸引張試験機で使用する窓材は、ポリイミドフィルム、ＫＢｒ、水晶ガラスなどを使用すればよく特に限定されるものではない。
【００１７】
本発明の二軸引張試験方法の恒温度は、特に限定されるものではなく、室温〜２００℃であり、その範囲の間で温度を約１℃の精度で制御することが好ましい。温度検出の方法は、特に限定されるものではなく、Ｋ熱電対などを使用する温度検出方法が好ましい。温度制御の方法は、特に限定されるものではなく、温度調節計によるヒーター電力のＰＩＤ制御などの方法が好ましい。
【００１８】
二軸引張試験を実施するに際しては、必要に応じて、パルス出力によるステッピングモータ制御などの方法を使用して、二軸引張試験機から離れた位置からコンピュータを使用して行うこともできる。
【００１９】
【実施例】
図１は本発明のフィルムの延伸観察用二軸引張試験片を示す図であり、図１（ａ）は二軸引張試験片の平面図、図１（ｂ）は図１（ａ）に示す一つの二軸引張試験片のＡ−Ａ線断面図、図１（ｃ）は図１（ａ）に示す別の二軸引張試験片のＡ−Ａ線断面図である。
図１（ａ）および図１（ｂ）に示すフィルムの延伸観察用二軸引張試験片１は、両面が平坦で所定の厚さを有したシート部２と、二軸引張試験片１の四辺の両面に形成され前記シート部２の周囲を囲むように設けられた凸部３，３とから構成されている。
図１（ａ）および図１（ｃ）に示すフィルムの延伸観察用二軸引張試験片１は、両面が平坦で所定の厚さを有したシート部２と、二軸引張試験片１の四辺の片面に形成され前記シート部２の周囲を囲むように設けられた凸部３とから構成されている。
【００２０】
フィルムの延伸観察用二軸引張試験片１はポリオレフィンフィルム，塩化ビニルフィルム，ポリエチレンテレフタレート等の樹脂製の各種フィルムからなる。フィルムの延伸観察用二軸引張試験片１の寸法は特に限定されるものではなく、好ましくは方形の一辺が２１ｍｍである。フィルムの延伸観察用二軸引張試験片１におけるシート部２と凸部３との境界部４は緩やかな曲面とすることが望ましい。シート部２の厚みｔ１は、特に制限されるものではなく、通常は０．１ｍｍ〜１ｍｍであり、分析装置に応じて決めればよい。
また、端部両面または片面の凸部３の厚みｔ２は、特に制限されるものではなく、通常、１ｍｍ〜３ｍｍであり、端部両面または片面の凸部３の幅ｗも、特に限定されるものではなく、通常、３ｍｍ〜５ｍｍである。
【００２１】
図２は図１（ａ）および図１（ｂ）に示すフィルムの延伸観察用二軸引張試験片の製作に使用する金型の一例を示す図であり、図２（ａ）はオス型金型とメス型金型の結合した状態を示す断面図、図２（ｂ）はオス型金型の平面図、図２（ｃ）はメス型金型の平面図、図２（ｄ）は図２（ａ）に示す金型に溶融樹脂を充填した際の状態を示す断面図である。
図２（ａ）に示すように、金型３０はオス型金型３１とメス型金型３２とから構成されている。メス型金型３２には位置決めピン３３が形成されており、オス型金型３１には位置決めピン３３が挿入される凹部３４が形成されている。オス型金型３１とメス型金型３２との結合時に、位置決めピン３３が凹部３４に挿入されることにより、オス型金型３１とメス型金型３２との位置決めがなされる。
図２（ｃ）に示すように、メス型金型３２にはフィルムの延伸観察用二軸引張試験片１におけるシート部２および凸部３を形成するための形状部３５が形成されている。またメス型金型３２には、フィルムの延伸観察用二軸引張試験片１の成形時に形状部３５より溢れる溶融樹脂を収容するための樹脂溜め３６が形成されている。
【００２２】
一方、オス型金型３１には、図２（ｂ）に示すように、メス型金型３２の形状部３５に挿入される凸部３７が形成されている。メス型金型３２の形状部３５の寸法は、例えば、２１×２１ｍｍである。またフィルムの延伸観察用二軸引張試験片１のシート部２の厚みｔ１は、図２（ｄ）に示すように、オス型金型３１およびメス型金型３２の間３８にスペーサを挿入することにより制御できる。図２に示す金型を用い、樹脂ペレットあるいはシートをメス型金型３２の形状部３５にセットし、オス型金型３１およびメス型金型３２をプレス機を使用してプレスすることにより端部両面に凸部を有する二軸引張試験片１の製作が可能となる。
【００２３】
図３は図１（ａ）および図１（ｃ）に示すフィルムの延伸観察用二軸引張試験片の製作に使用する金型の一例を示す図であり、図３（ａ）はオス型金型とメス型金型の結合した状態を示す断面図、図３（ｂ）はオス型金型の平面図、図３（ｃ）はメス型金型の平面図、図３（ｄ）は図３（ａ）に示す金型に溶融樹脂を充填した際の状態を示す断面図である。
図３に示す金型３０においては、二軸引張試験片１の片面にのみ凸部３を形成すればよいため、オス型金型３１は、図３（ａ）および図３（ｂ）に示すように凸部３７を有していない。図３に示す金型のその他の構成は、図２に示す金型と概略同一である。
【００２４】
図４は、本発明に係るフィルムの延伸観察用二軸引張試験の実施に使用するポリエーテルエーテルケトンで製作した分割つかみ治具の一例を示すものであって、図４（ａ）は分割つかみ治具の平面図、図４（ｂ）は分割つかみ治具の断面図である。二軸引張試験片１は両面に凸部３を有した図１（ｂ）に示すものを使用する場合を説明する。
図４に示す分割つかみ治具では、両面に凸部を有した二軸引張試験片１の下側の凸部の各辺及び各角を分割つかみ治具８及び９の溝部に差込む。また二軸引張試験片１の上側の凸部３の各辺及び各角を分割つかみ治具１０の溝部に差込む。次に、相対向する分割つかみ治具８と分割つかみ治具１０とをボルトを使用して固定するとともに、相対向する分割つかみ治具９と分割つかみ治具１０とをボルトを使用して固定する。この場合、分割つかみ治具８及び９にはそれぞれピン１１が上方に突設されている。また、分割つかみ治具１０にはピン１１が挿入される孔が形成されている。そして、分割つかみ治具８に突設されたピン１１と分割つかみ治具１０に形成された孔とが嵌り合うことによって、分割つかみ治具８と分割つかみ治具１０とが位置決めされる。また、分割つかみ治具９と分割つかみ治具１０も、同様に分割つかみ治具９に突設されたピン１１と分割つかみ治具１０に形成された孔とが嵌り合うことによって位置決めされる。これにより、二軸引張試験片１の四辺にある両面の凸部３が四個のそれぞれ対をなす分割つかみ治具８および１０の溝部に固定される。また二軸引張試験片１の四隅の角部の凸部３が四個のそれぞれ対をなす分割つかみ治具９および１０の溝部に固定される。
【００２５】
図５は、フィルムの延伸観察用二軸引張試験の実施に使用する二軸引張試験方法の実施例を示すものである。Ｘ軸方向には並列して二本の延伸バー１２Ｘが設置されており、Ｙ軸方向には並列して二本の延伸バー１２Ｙが設置されている。すなわち合計四本の延伸バー１２Ｘ，１２Ｘ，１２Ｙ，１２Ｙが設置されている。前記対をなす分割つかみ治具８，１０は延伸バー１２Ｘ又は１２Ｙに固定されており、また前記対をなす分割つかみ治具９，１０はコーナープレート１４に固定されている。コーナープレート１４はＸ軸方向に伸びる延伸バー１２Ｘ及びＹ軸方向に伸びる延伸バー１２Ｙの交差する重なり部分に配置されている。
【００２６】
コーナープレート１４の下方には、図示されない矩形状のプレートがそれぞれ設けられており、コーナープレート１４とこの図示されない矩形状のプレートとで二本の交差する延伸バー１２を重なり部分で両側から挟持している。そして、コーナープレート１４と図示されない矩形状のプレートとは、これらプレートの角部で三本のピン１５で接続されており、各ピン１５には延伸バー１２の側面と接触して転動するローラ１６が設けられている。
【００２７】
一方、各延伸バー１２Ｘ，１２Ｙは、両端部において、ナット受け１７及び受け板１８で保持されており、ナット受け１７の内部にはナット１９が固定されている。各ナット１９は一本の軸に右ネジと左ネジを有する送りネジ２０に螺合されており、各送りネジ２０は両端部近傍において固定潤滑受け軸２３が入った軸受２４により回転可能に支持されている。また送りネジ２０の端部にはベベルギヤ４０が固定されている。なお、Ｘ軸方向に伸びる送りネジは符号２０Ｘで示し、Ｙ軸方向に伸びる送りネジは符号２０Ｙで示す。
【００２８】
一方、Ｘ軸方向およびＹ軸方向に沿って、各一本の中間軸２２Ｘ，２２Ｙが配置されており、各中間軸２２Ｘ，２２Ｙには二個のベベルギヤ２１が固定されている。中間軸２２Ｘ，２２Ｙは両端部近傍において軸受２４により回転可能に支持されている。そして、中間軸２２Ｘ，２２Ｙに固定された各ベベルギヤ２１は、送りネジ２０Ｘ，２０Ｙに固定されたベベルギヤ４０に噛合されている。
【００２９】
上述の構成において、図５において最上部に図示されるＸ軸方向に伸びる中間軸２２Ｘをステッピングモータ（後述する）により回転させることにより、ベベルギヤ２１，４０を介してＹ軸方向に伸びる二本の送りネジ２０Ｙを回転させる。これにより、Ｙ軸方向に伸びる二本の送りネジ２０Ｙに螺合したそれぞれ各二個のナット１９がＹ軸方向に互いに離間する方向に移動し、この結果、Ｘ軸方向に伸びる二本の延伸バー１２Ｘが互いに離間する方向に移動する。従って、二本の延伸バー１２Ｘにピン１５及びローラ１６で係合した二個のコーナープレート１４が互いに離間する方向（Ｙ軸方向）に移動し、この結果、相対向するコーナープレート１４に固定された分割つかみ治具９及び分割つかみ治具１０が、互いに離間する方向（Ｙ軸方向）に移動する。また、同様に、二本の延伸バー１２Ｘに直接固定された相対向する分割つかみ治具８及び分割つかみ治具１０もＹ軸方向に互いに離間する方向に移動する。これにより、二軸引張試験片１の各辺及び各角を、Ｙ軸方向に延伸させることができる。
【００３０】
また、図５において最下部に図示されるＸ軸方向に伸びる一方の送りネジ２０Ｘをステッピングモータ（後述する）により回転させ、ベベルギヤ２１，４０を介してＹ軸方向に伸びる中間軸２２Ｙを回転させることにより、Ｘ軸方向に伸びる他方の送りネジ２０Ｘを回転させる。これにより、Ｘ軸方向に伸びる二本の送りネジ２０Ｘに螺合したそれぞれ各二個のナット１９がＸ軸方向に互いに離間する方向に移動し、この結果、Ｙ軸方向に伸びる二本の延伸バー１２Ｙが互いに離間する方向に移動する。従って、二本の延伸バー１２Ｙにピン１５及びローラ１６で係合した二個のコーナープレート１４が互いに離間する方向（Ｘ軸方向）に移動し、この結果、相対向するコーナープレート１４に固定された分割つかみ治具９及び分割つかみ治具１０が、互いに離間する方向（Ｘ軸方向）に移動する。また、同様に、二本の延伸バー１２Ｙに直接固定された相対向する分割つかみ治具８及び分割つかみ治具１０もＸ軸方向に互いに離間する方向に移動する。これにより、二軸引張試験片１の各辺及び各角を、Ｘ軸方向に延伸させることができる。
【００３１】
したがって、二軸引張試験を実施するに際して、ナット受け１７及び延伸バー１２は中央部の被測定部が静止状態に保ちつつ中心より外へ両方向に移動することが可能となる。
【００３２】
図６は、フィルムの延伸観察用二軸引張試験の実施に使用する二軸引張試験装置の一例を示すものであって、分割つかみ治具は１２〜１２０ｍｍの範囲を移動することを可能とし、二軸引張試験機の外装のうちフィルムの二軸引張試験片の中央の被測定部に相当する部位に円形状の孔をなしかつ孔の周囲に窓材を取り付けるための円形状の溝を設け、中空形状の板材を使用して窓材周囲をネジ締め付けなどの方法により固定する構成としている。
【００３３】
また、駆動系はＸ軸（左右）方向とＹ軸（上下）方向の二系統で構成され、各駆動系はカップリング２５により恒温槽４１の外に設置したステッピングモータ２６Ａおよび２６Ｂに連結されている。すなわち、前述した送りネジ２０Ｘはカップリング２５Ａを介してステッピングモータ２６Ａに連結されており、中間軸２２Ｘはカップリング２５Ｂを介してステッピングモータ２６Ｂに連結されている。このステッピングモータ２６Ａ及び／または２６Ｂを駆動することにより、前述した送りネジ２０Ｘ及び／または中間軸２２Ｘが回転され、上述したように分割つかみ治具がＸ方向またはＹ軸方向に互いに離間して二軸引張試験片１の二軸引張試験が行われる。ステッピングモータ２６Ａおよび２６Ｂは一定パルス速度制御により回転するために定速度引張を可能とするとともに、ステッピングモータ２６Ａおよび２６ＢをＸ軸・Ｙ軸同時に駆動すれば同時二軸引張試験となり、Ｘ軸またはＹ軸のみを駆動すれば一軸引張試験となり、またＸ軸またはＹ軸駆動後にＹ軸またはＸ軸を駆動すれば逐次二軸引張試験が行われるものとなる。
【００３４】
前記ステッピングモータ２６Ａ，２６Ｂと前記送りネジ２０Ｘ，２０Ｙのリードとの関係で１パルス当たりの移動量が決定されるので特に変位センサを設置しなくとも延伸量が求められる。また、各駆動系のナット受け１７のうち一ヶ所にロッド２７を接続し、恒温槽４１の外に設置したセンサードグ２８に連結する構成とすることにより、センサードグ２８はナット受け１７の移動にともなって移動することによりフォトセンサ２９をさえぎり、三ヶ所に設置されたフォトセンサ２９によりそれぞれ原点、戻り限度及び延伸限度の位置検出の測定が可能となる。
【００３５】
図７は、本発明の二軸引張試験機と、二軸引張試験機により二軸引張試験片を延伸する過程の構造変化を観察するための分析装置とを示す模式図である。図７に示すように、分析装置は電磁波発生源５０と検出器５１とを備えている。そして、電磁波発生源５０と検出器５１の間に、二軸引張試験機が設置されている。二軸引張試験機の外装６０の電磁波発生源５０側には、電磁波発生源５０からの電磁波が二軸引張試験片１の被測定部である中心部を通過するように、窓材６１が設けられており、また二軸引張試験機の外装６０の検出器５１側には窓材６２が設けられている。そして、恒温度制御下で、二軸引張試験片１を延伸しながら、電磁波発生源５０により電磁波を照射する。二軸引張試験片１を透過した電磁波は、窓材６２を通過して検出器５１に入射し、検出器５１により、二軸引張試験片１の構造変化を観察するようになっている。
【００３６】
【発明の効果】
以上、詳述したとおり、本発明によって、つかみ治具とフィルム用二軸引張試験片がお互いにすべることなく、前記試験片の中央部の水平部が静止状態に保たれ、大きな歪を与えることができるフィルム用二軸引張試験機およびフィルムの二軸引張試験方法を提供することができる。
【図面の簡単な説明】
【図１】  本発明のフィルムの延伸観察用二軸引張試験片を示す図であり、図１（ａ）は二軸引張試験片の平面図、図１（ｂ）は図１（ａ）に示す一つの二軸引張試験片のＡ−Ａ線断面図、図１（ｃ）は図１（ａ）に示す別の二軸引張試験片のＡ−Ａ線断面図である。
【図２】  図１（ａ）および図１（ｂ）に示すフィルムの延伸観察用二軸引張試験片の製作に使用する金型の一例を示す図であり、図２（ａ）はオス型金型とメス型金型の結合した状態を示す断面図、図２（ｂ）はオス型金型の平面図、図２（ｃ）はメス型金型の平面図、図２（ｄ）は図２（ａ）に示す金型に溶接樹脂を充填した際の状態を示す断面図である。
【図３】  図１（ａ）および図１（ｃ）に示すフィルムの延伸観察用二軸引張試験片の製作に使用する金型の一例を示す図であり、図３（ａ）はオス型金型とメス型金型の結合した状態を示す断面図、図３（ｂ）はオス型金型の平面図、図３（ｃ）はメス型金型の平面図、図３（ｄ）は図３（ａ）に示す金型に溶接樹脂を充填した際の状態を示す断面図である。
【図４】  本発明のフィルムの延伸観察用二軸引張試験の実施に使用するポリエーテルエーテルケトンで製作した分割つかみ治具の一例を示すものであって、図４（ａ）は分割つかみ治具の平面図、図４（ｂ）は分割つかみ治具の断面図である。
【図５】  本発明のフィルム用二軸引張試験方法の説明図である。
【図６】  本発明のフィルムの二軸引張試験方法の実施例において使用した二軸引張試験機の基本構成を示す説明図である。
【図７】  本発明の二軸引張試験機と、二軸引張試験機により二軸引張試験片を延伸する過程の構造変化を観察するための分析装置とを示す模式図である。
【符号の説明】
１    フィルムの延伸観察用二軸引張試験片
２    シート部
３，３７    凸部
４    境界部
８，９，１０    分割つかみ治具
１１，１５    ピン
１２    延伸バー
１４    コーナープレート
１６    ローラ
１７    ナット受け
１８    受け板
１９    ナット
２０    ネジ
２１    ベベルギヤ
２２    中間軸
２３    固定潤滑受け軸
２４    軸受け
２５    カップリング
２６    ステッピングモータ
２７    ロッド
２８    センサードグ
２９    フォトセンサー
３０    金型
３１    オス型金型
３２    メス型金型
３３    位置決めピン
３４    凹部
３５    形状部
３６    樹脂溜め
３８    オス型金型とメス型金型の間
４０    ベベルギヤ
４１    恒温槽
５０    電磁波発生源
５１    検出器
６０    二軸引張試験機の外装
６１，６２    窓材
【図１】
0003905821.tif 000002
【図２】
0003905821.tif 000003
【図３】
0003905821.tif 000004
【図４】
0003905821.tif 000005
【図５】
0003905821.tif 000006
【図６】
0003905821.tif 000007
【図７】
0003905821.tif 000008